(57)【要約】【課題】複数のプラズマディスプレイ等を並べて一つの大画面表示をする場合に、画面内に枠が生じないようにした画面接続型表示装置を提供する。【解決手段】画面接続型表示装置１０は、各々が枠部１６に囲まれた画像表示面１２を備えた複数の表示部１４を並列してなり、表示部１４の枠部１６の内側で、画像表示面１２と接触する画像光入力端面１８Ａを有する導光体１８を取り付け、該導光体１８の反対側の端面である画像光出力端面１８Ｂを、前記画像表示面１２よりも中心側に偏倚させて、画面内に枠部が生じることない統一画像表示面２０を形成する。導光体１８は光ファイバー２２を束ねてなり、画像光入力端面１８Ａから画像光出力端面１８Ｂの間で光路が、統一画像表示面２０の中心側に寄せられている。【選択図】      図１
2004170870.tif 000002
【特許請求の範囲】
【請求項１】
各々が、枠部に囲まれた画像表示面を備え、該画像表示面を同一方向に向けて幅方向及び高さ方向の少なくとも一方向に並んで配置された複数の表示部と、この複数の表示部と同数設けられ、各々が対応する前記表示部の画像表示面と実質的に同一形状の画像光入力端面及びこれと反対側端部の画像光出力端面を備えた導光体と、を有してなり、前記導光体は略同一長さの複数の光ファイバーを束ねて、且つ、前記画像光入力端面側の端部及び画像光出力端面側の端部において接着固定して構成され、前記複数の導光体は、前記画像光入力端面が、対応する前記画像表示面と実質的に接触して配置され、且つ、全部の画像光出力端面が、その外周で相互に接近して接続された状態で、前記表示部と同一方向に並んで配置されて一枚の面一な統一画像表示面を構成していることを特徴とする画面接続型表示装置。
【請求項２】
請求項１において、前記複数の導光体の前記画像光出力端面側端部を、前記統一画像表示面を構成している状態で該統一画像表示面の外周を拘束枠部材により取り囲んで固定支持したことを特徴とする画面接続型表示装置。
【請求項３】
請求項１において、前記画像表示面の正面方向から見て、前記枠部と略同一形状、同数の入力端固定枠を一体的に連続してなる基端枠部材を設け、この基端枠部材の各入力端固定枠内に、前記複数の導光体の画像光入力側端部を各々独立して取り囲んで拘束、固定したことを特徴とする画面接続型表示装置。
【請求項４】
請求項３において、前記複数の導光体の前記画像光出力端面側端部を、前記統一画像表示面を構成している状態で該統一画像表示面の外周を拘束枠部材により取り囲んで固定支持すると共に、この拘束枠部材と前記基端枠部材とを一体的に構成したことを特徴とする画面接続型表示装置。
【請求項５】
請求項１乃至４のいずれかにおいて、前記導光体の画像光入力面側端部及び画像光出力端面側端部の各々で、該導光体を構成する複数の光ファイバーの端部が一体的に接着固定され、且つ、両端部の中間部では湾曲可能な自由状態とされていることを特徴とする画面接続型表示装置。
【請求項６】
請求項１乃至４のいずれかにおいて、前記複数の導光体の少なくとも一部における画像光入力端面及び画像光出力端面が、該導光体を構成する光ファイバーの軸線方向に対して略同一方向に傾斜した平面であることを特徴とする画面接続型表示装置。
【請求項７】
請求項６において、前記画像光入力端面及び画像光出力端面の光ファイバーの軸線方向に対する傾斜角度は、前記光ファイバーの直交端面に対する許容入射角度よりも小さいことを特徴とする画面接続型表示装置。
【請求項８】
請求項１乃至７のいずれかにおいて、前記導光体を構成する複数の光ファイバーは、少なくとも前記画像光出力端面では、光ファイバーの端面において、縦方向及び横方向に、該光ファイバーの直径に等しいピッチで並べられ、接着、固定されたことを特徴とする画面接続型表示装置。
【発明の詳細な説明】
【０００１】
【発明の属する技術分野】
この発明は画面接続型表示装置に係り、特に、枠付の平面表示パネルを複数接続して大画面表示する場合に、画面内に枠が生じないようにした画面接続型表示装置に関する。
【０００２】
【従来の技術】
近年、プラズマディスプレイ等の大型の平面表示パネルが開発されている。
【０００３】
このプラズマディスプレイや液晶ディスプレイの場合、画面サイズを大型にする程、製造過程における歩留りが低下するので、大きさには限界がある。このため、例えば１００インチの画面寸法を得ようとするときには、４台の５０インチプラズマディスプレイを並べて、４枚の画面により全体として一つの大きな画面を形成するようにしている。
【０００４】
【発明が解決しようとする課題】
この場合、各平面ディスプレイには必ず枠が設けられているので、４枚の画面を接続して１枚の画像を表示すると、中心に十字形の枠が出てしまって、画像が見難く、表示対象によっては枠付の画面に適さない場合もあった。
【０００５】
この発明は、上記従来の問題点に鑑みてなされたものであって、枠付のディスプレイ（表示装置）を複数枚接続して一枚の画面を形成する場合に、画面中に枠が形成されないようにした画面接続型表示装置を提供することを目的とする。
【０００６】
【課題を解決するための手段】
この発明は、枠部に囲まれた画像表示面を備えた複数の表示部を並べて配置し、各画像表示面から、光ファイバーを束ねてなる導光体によって画像光を中心に寄せて導き、画面内に枠のない、一枚の面一な統一画像表示面から画像光を出力するようにして、上記目的を達成するものである。
【０００７】
すなわち、本発明は、各々が、枠部に囲まれた画像表示面を備え、該画像表示面を同一方向に向けて幅方向及び高さ方向の少なくとも一方向に並んで配置された複数の表示部と、この複数の表示部と同数設けられ、各々が対応する前記表示部の画像表示面と実質的に同一形状の画像光入力端面及びこれと反対側端部の画像光出力端面を備えた導光体と、を有してなり、前記導光体は略同一長さの複数の光ファイバーを束ねて、且つ、前記画像光入力端面側の端部及び画像光出力端面側の端部において接着固定して構成され、前記複数の導光体は、前記画像光入力端面が、対応する前記画像表示面と実質的に接触して配置され、且つ、全部の画像光出力端面が、その外周で相互に接近して接続された状態で、前記表示部と同一方向に並んで配置されて一枚の面一な統一画像表示面を構成していることを特徴とする画面接続型表示装置により上記目的を達成するものである。
【０００８】
又、前記複数の導光体の前記画像光出力端面側端部を、前記統一画像表示面を構成している状態で該統一画像表示面の外周を拘束枠部材により取り囲んで固定支持するようにしてもよい。
【０００９】
更に、前記画像表示面の正面方向から見て、前記枠部と略同一形状、同数の入力端固定枠を一体的に連続してなる基端枠部材を設け、この基端枠部材の各入力端固定枠内に、前記複数の導光体の画像光入力側端部を各々独立して取り囲んで拘束、固定するようにしてもよい。
【００１０】
更に又、前記複数の導光体の前記画像光出力端面側端部を、前記統一画像表示面を構成している状態で該統一画像表示面の外周を拘束枠部材により取り囲んで固定支持すると共に、この拘束枠部材と前記基端枠部材とを一体的に構成してもよい。
【００１１】
又、前記導光体の画像光入力面側端部及び画像光出力面側端部の各々で、該導光体を構成する複数の光ファイバーの端部が一体的に接着固定され、且つ、両端部の中間部では湾曲可能な自由状態としてもよい。
【００１２】
又、前記複数の導光体の少なくとも一部における画像光入力端面及び画像光出力端面が、該導光体を構成する光ファイバーの軸線方向に対して略同一方向に傾斜した平面としてもよい。
【００１３】
更に、前記画像光入力端面及び画像光出力端面の光ファイバーの軸線方向に対する傾斜角度は、前記光ファイバーの直交端面に対する許容入射角度よりも小さくなるようにしてもよい。
【００１４】
又、前記導光体を構成する複数の光ファイバーは、少なくとも前記画像光出力端面では、光ファイバーの端面において、縦方向及び横方向に、該光ファイバーの直径に等しいピッチで並べられ、接着、固定されるようにしてもよい。
【００１５】
【発明の実施の形態】
以下本発明の実施の形態の例を図面を参照して詳細に説明する。
【００１６】
図１に示されるように、この実施の形態の例に係る画面接続型表示装置１０は、各々が縦３横４のノーマルサイズの画像表示面１２を備えた、例えばプラズマディスプレイからなる表示部１４を、縦３台、横４台、計１２台並べて構成されている。前記表示部１４の、画像表示面１２の周囲は枠部１６によって囲まれている。
【００１７】
前記各表示部１４における画像表示面１２の前面には導光体１８が取り付けられ、画像表示面１２に表示される画像光を前方に導き、１２本の導光体１８の前端面によって形成されている統一画像表示面２０に、１２枚の画像表示面１２からの画像の合成画面を表示するようにされている。
【００１８】
前記導光体１８は、略同一長さの複数の光ファイバー２２を束ねて構成され、その一方の端面が画像光入力端面１８Ａ、他方の端面が画像光出力端面１８Ｂとされ、画像光入力端面１８Ａから入力された画像光を、反対側の端面である画像光出力端面１８Ｂからそのまま出力するようにされている。
【００１９】
前記画像光入力端面１８Ａ及び画像光出力端面１８Ｂは前記表示部１４における画像表示面１２と同一形状であって、図２、図３に示されるように、画像光入力端面１８Ａは画像表示面１２に接触又はわずかに離間して、あるいは光透過性シート（図示省略）を介して配置されている。又、前記導光体１８を構成する光ファイバー２２は樹脂製であることが望ましい。
【００２０】
この光ファイバー２２は、前記画像光入力端面１８Ａ及び画像光出力端面１８Ｂの位置でそれぞれ接着剤によって一体的に接着固定されている。これら画像光入力端面１８Ａと画像光出力端面１８Ｂの間の部分は、接着しないで自由状態として湾曲可能としても良く、又必要な湾曲をさせた後に接着剤で固定してもよい。
【００２１】
前記１２本の導光体１８は、図２、図３に示されるように、支持枠部材２４によって支持され、その画像光入力端面１８Ａが前記画像表示面１２に接触し、又、反対側の画像光出力端面１８Ｂは枠部１６の分だけ中心側に寄せられて、内側に枠のない統一画像表示面２０を構成するように保持されている。
【００２２】
更に詳細には、図４に示されるように、前記支持枠部材２４は、導光体１８の、画像光入力端面１８Ａ側部分を保持する基端枠部材２６と、画像光出力端面１８Ｂ側を保持する拘束枠部材２８から構成されている。
【００２３】
前記基端枠部材２６は、前記表示部１４の枠部１６と略同一形状、同数の入力端固定枠２６Ａを一体的に連続して形成したものであり、各々の入力端固定枠２６Ａは、導光体１８の、画像光入力端面１８Ａ側端部を取り囲んで拘束、固定するようにされている。
【００２４】
前記拘束枠部材２８は、その内側に、前記１２枚の画像表示面１２を接続した大きさの、即ち統一画像表示面２０の大きさの長方形状であって、その内側に、１２本の導光体１８の画像光出力端面１８Ｂを相互に接触隣接する状態で取り囲んで固定支持するようにされている。
【００２５】
前記入力端固定枠２６Ａ及び拘束枠部材２８における導光体１８の端部の支持固定は、接着剤によると良い。図２、３の符号２９は、並べた表示部１４の外側面に、支持枠部材２４を固定するための取付部材を示す。
【００２６】
図２及び図３に示されるように、前記導光体１８における画像光入力端面１８Ａに対して画像光出力端面１８Ｂは、導光体１８が統一画像表示面２０の中心に向けて湾曲されることにより中心側に偏倚した状態で拘束枠部材２８に拘束されている。
【００２７】
ここで、前記拘束枠部材２８の内側における画像光出力端面１８Ｂは、図６に拡大して示されるように、導光体１８を構成する光ファイバー２２が、その端面において該光ファイバー２２の直径と等しいピッチで縦方向及び横方向に並列されているので、隣接する画像光出力端面１８Ｂ間では、その接続線が、画像光出力端面１８Ｂ内での、隣接する光ファイバー２２間の境界線と同一であり、画像光出力端面１８Ｂから出力される画像に継ぎ目が生じることがない。
【００２８】
図６に、この画面接続型表示装置１０の画像信号処理回路を示す。
【００２９】
この処理回路は、ＤＶＤ（デジタルバーサタイルディスク）、ＣＤ（コンパクトディスク）、テレビ信号受像機、ビデオテープレコーダー、ハードディスク、等の画像情報源３０からの画像情報を分割して、或いは分割しないで前記１２台の表示部１４に送る分割ボードを含む制御装置３２から構成されている。
【００３０】
制御装置３２における分割ボードは、画像情報源３０からの画像信号を、縦３、横４のノーマル画面の場合は画面接続型表示装置１０における右側の９台の表示部１４に送り、縦９、横１６のハイビジョン画面の場合は１２台全部の表示部１４に画像信号を送り、それぞれ、統一画像表示面２０からノーマルサイズの画像表示又はハイビジョンサイズの画像表示をし、或いは必要であれば、各表示部１４に同一の画像を表示するように切り換える。
【００３１】
なお、上記実施の形態の例において、導光体１８を構成する光ファイバー２２は、画像光出力端面１８Ａと画像光出力端面１８Ｂとの間で湾曲されているが、本発明はこれに限定されるものでなく、導光体１８は、画像光入力端面１８Ａから入力した画像光を中心に寄せて統一画像表示面２０に表示できるものであれば良い。
【００３２】
従って、例えば図７、図８に示されるように、導光体３４を構成する光ファイバー２２の中心軸線に対して、画像光入力端面３４Ａと画像光出力端面３４Ｂが略同一方向に傾斜した平面となるようにしてもよい。
【００３３】
この場合、光ファイバー２２の端面は画像表示面１２から入射する光に対して傾いているので、この傾斜角度が大き過ぎると、光ファイバー２２内に入射できない。従って、前記傾斜角度は、前記光ファイバー２２の直交端面に対して入射可能な許容入射角度よりも小さく設定する必要がある。
【００３４】
なお上記実施の形態の例において、表示部１４がプラズマディスプレイの場合について説明したが、これは、ＣＲＴディスプレイ、液晶ディスプレイ、ＦＥ（フィールドエミッション）ディスプレイ、ＥＬ（エレクトロルミネッセンス）ディスプレイ等の他の表示装置を用いてもよい。
【００３５】
また、上記実施の形態の例に係る画面接続型表示装置１０は、１２台の表示部１４を並べて、一枚の統一画像表示面２０を構成するようにしたものであるが、本発明はこれに限定されるものでなく、２以上の表示部を並べて、一枚の統一画像表示面を形成する場合に適用され、従って、複数の表示部を縦横方向に並べる場合のみならず、縦方向にのみ或いは横方向にのみ並べる場合にも適用されるものである。
【００３６】
【発明の効果】
本発明は上記のように構成したので、プラズマディスプレイのような枠部を有する画像表示面を複数並べて一つの大きな画像を表示する場合に、画面内に枠が生じない統一画像表示をすることができるという優れた効果を有する。
【図面の簡単な説明】
【図１】本発明の実施の形態の例に係る画面接続型表示装置を示す斜視図
【図２】図１のＩＩ−ＩＩ線に沿う断面図
【図３】図１のＩＩＩ−ＩＩＩ線に沿う断面図
【図４】同画面接続型表示装置における導光体を支持するための支持枠部材を示す斜視図
【図５】同画面接続型表示装置に用いる導光体の画像光出力端面の一部を拡大して示す正面図
【図６】同画面接続型表示装置における画像信号処理系統を示すブロック図
【図７】本発明の実施の形態の第２例に係る画面接続型表示装置の要部を示す図２と同様の断面図
【図８】同図３と同様の断面図
【符号の説明】
１０…画面接続型表示装置
１２…画像表示面
１４…表示部
１６…枠部
１８、３４…導光体
１８Ａ、３４Ａ…画像光入力端面
１８Ｂ、３４Ｂ…画像光出力端面
２０…統一画像表示面
２２…光ファイバー
２４…支持枠部材
２６…基端枠部材
２６Ａ…入力端固定枠
２８…拘束枠部材
３０…画像情報源
３２…分割ボード
【図１】
2004170870.tif 000003
【図２】
2004170870.tif 000004
【図３】
2004170870.tif 000005
【図４】
2004170870.tif 000006
【図５】
2004170870.tif 000007
【図６】
2004170870.tif 000008
【図７】
2004170870.tif 000009
【図８】
2004170870.tif 000010